【手続補正書】
【提出日】平成17年6月23日(2005.6.23)
【手続補正１】
【補正対象書類名】明細書
【補正対象項目名】全文
【補正方法】変更
【補正の内容】
【書類名】    明細書
【発明の名称】  携帯端末装置
【特許請求の範囲】
【請求項１】イヤホンマイクを接続するイヤホンマイク接続手段と、
前記イヤホンマイク接続手段に対するイヤホンマイクの接続によりオフフック検出信号を発生するオフフック検出信号発生手段と、
前記オフフック検出信号に基づいてオフフックを行う回線制御手段と、
を備えた携帯端末装置。
【請求項２】イヤホンマイクを接続するイヤホンマイク接続手段と、
前記イヤホンマイク接続手段からのイヤホンマイクの抜取りによりオンフック検出信号を発生するオンフック検出信号発生手段と、
前記オフフック検出信号に基づいてオンフックを行う回線制御手段と、
を備えた携帯端末装置。
【請求項３】イヤホンマイクのコードを携帯端末装置の内部に巻取るイヤホンマイクコード巻取り部と、
前記イヤホンマイクコード巻取り部からのコードの引出しによりオフフック検出信号を発生するオフフック検出信号発生手段と、
前記オフフック検出信号に基づいてオフフックを行う回線制御手段と、
を備えた携帯端末装置。
【請求項４】イヤホンマイクのコードを携帯端末装置の内部に巻取るイヤホンマイクコード巻取り部と、
前記イヤホンマイクコード巻取り部へのコードの巻取りによりオンフック検出信号を発生するオンフック検出信号発生手段と、
前記オンフック検出信号に基づいてオンフックを行う回線制御手段と、
を備えた携帯端末装置。
【請求項５】前記イヤホンマイク接続手段からのイヤホンマイクの抜取りによりオンフック検出信号を発生するオンフック検出信号発生手段を備え、
前記回線制御手段はオンフック検出信号に基づいてオンフックを行うことを特徴とする請求項１記載の携帯端末装置。
【請求項６】前記イヤホンマイクコード巻取り部へのコードの巻取りによりオンフック検出信号を発生するオンフック検出信号発生手段を備え、
前記回線制御手段はオンフック検出信号に基づいてオンフックを行うことを特徴とする請求項３記載の携帯端末装置。
【請求項７】前記オフフック検出信号発生手段はボタンやスイッチの操作により発生したオフフック検出信号を出力し、
前記回線制御手段はオフフック検出信号に基づいてオフフックを行うようにしたことを特徴とする請求項１または請求項３記載の携帯端末装置。
【請求項８】前記オンフック検出信号発生手段はボタンやスイッチの操作により発生したオンフック検出信号を出力し、
前記回線制御手段はオンフック検出信号に基づいてオンフックを行うようにしたことを特徴とする請求項２または請求項４記載の携帯端末装置。
【請求項９】前記オフフック検出信号発生手段はボタンやスイッチの操作により発生したオフフック検出信号を出力し、
前記オンフック検出信号発生手段はボタンやスイッチの操作により発生したオンフック検出信号を出力し、
前記回線制御手段はオフフック検出信号に基づいてオフフックを行うようにし、オンフック検出信号に基づいてオンフックを行うようにしたことを特徴とする請求項５または請求項６記載の携帯端末装置。
【発明の詳細な説明】
【０００１】
【発明の属する技術分野】
本発明は、イヤホンマイクを使用して通話を行うことができる携帯端末装置に関する。
【０００２】
【従来の技術】
従来、この種の携帯端末装置としては、図３に示すようなものがあった。図３はイヤホンマイクを使用した従来の携帯端末装置の構成を示すブロック図である。図３において、１はマイク、２はスピーカ、３はイヤホンマイク、４は送話部、５は受話部、６はイヤホンマイク接続部、９は制御部、１１はオフフック検出信号発生装置、１２はオンフック検出信号発生装置、１３はキー操作部、１４は回線制御部、１５は電話回線、１６は電源、１７は表示部、１８は携帯端末装置である。
【０００３】
次に、図３を参照して、上記従来の携帯端末装置の構成を説明する。携帯端末装置１８において、イヤホンマイク３は、例えば、ジャックコネクタ等からなるイヤホンマイク接続部６に挿入されて送話部４及び受話部５に接続される。送話部４は、マイク１からの音声と、イヤホンマイク３からの音声を切替え、受話部５は、電話回線１５からの音声をスピーカ２または、イヤホンマイク３へ切替えて出力する。また、イヤホンマイク３をマイク１やスピーカ２の代わりに使用する場合はキー操作部１３のボタンやスイッチなどの操作によりオフフックを検出させて行われる。
【０００４】
制御部９は、また各部の制御および各入力信号の処理を行うとともに、オフフック検出信号発生装置１１及びオンフック検出信号発生装置１２からの信号を選択し、選択した信号を回線制御部１４へ出力する。オフフック検出信号発生装置１１及びオンフック検出信号発生装置１２は、ボタンやスイッチなどのキー操作部１３の操作によりオフフック検出信号またはオフフック検出信号を制御部９へ出力する。回線制御部１４は制御部９からの信号に基づき回線をオフフックまたはオンフックを行う。電源１６は携帯端末装置１８を駆動させるための装置であり、表示部１７は各種表示を行う。
【０００５】
以上、説明したように、従来の携帯端末装置においては、イヤホンマイクを使用して通話を行うときは、オフフックまたはオンフック検出をボタンやスイッチなどによる操作を行うことにより検出させなければならなかった。例えば、イヤホンマイクを挿入してから、ボタンやスイッチなどによる操作を行うことによりオフフックを検出させるか、またはボタンやスイッチなどによる操作を行うことによりオフフックを検出させてから、イヤホンマイクを挿入するという操作が行われていた。
【０００６】
【発明が解決しようとする課題】
しかしながら、上記従来の携帯端末装置においては、イヤホンマイクを挿入してから、ボタンやスイッチなどによる操作を行うことによりオフフックを検出させるため、イヤホンマイクの挿入と、ボタンやスイッチなどの操作、というように２回操作を行う必要があった。そのため、イヤホンマイクで通話を行おうとした時の操作に煩わしさがあった。また、ボタンやスイッチなどによる操作を行うことによりオフフックを検出させてから、イヤホンマイクを挿入し通話を行おうとした時には、オフフックを検出してからイヤホンマイクを挿入するまで時間がかかり、通話の相手に不快感を与えるという問題があった。
【０００７】
本発明は、上記従来の問題を解決するためになされたもので、携帯端末装置に使用されるイヤホンマイクの挿入及び引抜きにより、オフフック検出及びオンフック検出を行うことができるようにしたことにより、携帯端末装置のイヤホンマイクによる通話をスムーズかつ快適に行うことができる携帯端末装置を提供することを目的とする。
【０００８】
【課題を解決するための手段】
本発明は、上記の問題を解決するため、イヤホンマイクを挿入するイヤホンマイク接続部と、イヤホンマイク接続部に対するイヤホンマイクの挿入によりオフフック検出信号を発生するイヤホンマイク用オフフック検出信号発生装置と、イヤホンマイク接続部からイヤホンマイクを抜取ることによりオンフック検出信号を発生するイヤホンマイク用オンフック検出信号発生装置と、イヤホンマイク用オフフック検出信号発生装置の出力をイヤホンマイクの挿入によるオフフック検出信号とし、イヤホンマイク用オンフック検出信号発生装置の出力をイヤホンマイクの抜取りによるオンフック検出信号として選択し出力するオフフック・オンフック検出信号選択装置と、オフフック・オンフック検出信号選択装置からのオフフック検出信号またはオンフック検出信号を受信してオフフックを行うかまたはオンフックを行う回線制御部とからなり、イヤホンマイクの挿抜により自動的にオフフックまたはオンフックを行うようにしたものである。
【０００９】
本発明は、携帯端末装置にイヤホンマイクを挿入することによりオフフック検出信号を自動的に回線制御部に出力して回線のオフフックを行い、携帯端末装置からイヤホンマイクを抜取ることによりオンフック検出信号を自動的に回線制御部に出力して回線のオンフックを行うようにしたことにより、イヤホンマイクによる通話をスムーズにかつ快適に行うことができる携帯端末装置が得られる。
【００１０】
本発明は、上記の問題を解決するため、イヤホンマイクを挿入するイヤホンマイク接続部と、イヤホンマイク接続部に対するイヤホンマイクの挿入によりオフフック検出信号を発生するイヤホンマイク用オフフック検出信号発生装置と、イヤホンマイク接続部からイヤホンマイクを抜取ることによりオンフック検出信号を発生するイヤホンマイク用オンフック検出信号発生装置と、イヤホンマイク用オフフック検出信号発生装置の出力をイヤホンマイクの挿入によるオフフック検出信号とし、イヤホンマイク用オンフック検出信号発生装置の出力をイヤホンマイクの抜取りによるオンフック検出信号として選択し出力するオフフック・オンフック検出信号選択装置と、オフフック・オンフック検出信号選択装置からのオフフック検出信号またはオンフック検出信号を受信してオフフックを行うかまたはオンフックを行う回線制御部と、ボタンやスイッチなどの操作により発生したオフフック検出信号を出力するオフフック検出信号発生装置と、ボタンやスイッチなどの操作により発生したオンフック検出信号を出力するオンフック検出信号発生装置とを備え、イヤホンマイクの挿抜により発生したオフフック検出信号またはオンフック検出信号と、ボタンやスイッチなどの操作により発生したオフフック検出信号またはオンフック検出信号を任意に選択して出力するようにしたものである。
【００１１】
本発明は、イヤホンマイクの挿抜を利用して自動的にオフフックおよびオンフックを行うことができるとともに、ボタンやスイッチなどのキー操作部を使用したオフフックおよびオンフックを可能にし、またイヤホンマイクでオフフック・オンフックを行うか、ボタンやスイッチなどのキー操作部によりオフフック・オンフックを行うかを選択できるようにしたことにより、イヤホンマイクによる通話をスムーズかつ快適に行うことができる携帯端末装置が得られる。
【００１２】
【発明の実施の形態】
請求項１に記載の発明における携帯端末装置は、イヤホンマイクを接続するイヤホンマイク接続手段と、前記イヤホンマイク接続手段に対するイヤホンマイクの接続によりオフフック検出信号を発生するオフフック検出信号発生手段と、前記オフフック検出信号に基づいてオフフックを行う回線制御手段とからなり、イヤホンマイクの挿入により自動的にオフフックを行うようにしたものであり、携帯端末装置にイヤホンマイクを挿入することにより、オフフック検出信号を自動的に回線制御部に出力して回線のオフフックを行うようにしたことにより、イヤホンマイクによる通話をスムーズかつ快適に行うことができるという作用を有する。
【００１３】
請求項２に記載の発明における携帯端末装置は、イヤホンマイクを接続するイヤホンマイク接続手段と、前記イヤホンマイク接続手段からのイヤホンマイクの抜取りによりオンフック検出信号を発生するオンフック検出信号発生手段と、前記オフフック検出信号に基づいてオンフックを行う回線制御手段とからなり、イヤホンマイクの抜取りにより自動的にオンフックを行うようにしたものであり、携帯端末装置からイヤホンマイクを抜取ることによりオンフック検出信号を自動的に回線制御部に出力して回線のオンフックを行うようにしたことにより、イヤホンマイクによる通話をスムーズかつ快適に行うことができるという作用を有する。
【００１４】
請求項３に記載の発明における携帯端末装置は、イヤホンマイクのコードを携帯端末装置の内部に巻取るイヤホンマイクコード巻取り部と、前記イヤホンマイクコード巻取り部からのコードの引出しによりオフフック検出信号を発生するオフフック検出信号発生手段と、前記オフフック検出信号に基づいてオフフックを行う回線制御手段とからなり、イヤホンマイクの引出しにより自動的にオフフックを行うようにしたものであり、携帯端末装置からイヤホンマイクのコードを引出すことによりオフフック検出信号を自動的に回線制御部に出力して回線のオフフックを行うようにしたことにより、イヤホンマイクによる通話をスムーズかつ快適に行うことができるという作用を有する。
【００１５】
請求項４に記載の発明における携帯端末装置は、イヤホンマイクのコードを携帯端末装置の内部に巻取るイヤホンマイクコード巻取り部と、前記イヤホンマイクコード巻取り部へのコードの巻取りによりオンフック検出信号を発生するオンフック検出信号発生手段と、前記オンフック検出信号に基づいてオンフックを行う回線制御手段とからなり、イヤホンマイクの巻取りにより自動的にオンフックを行うようにしたものであり、携帯端末装置に対しイヤホンマイクのコードを巻取ることによりオンフック検出信号を自動的に回線制御部に出力して回線のオンフックを行うようにしたことにより、イヤホンマイクによる通話をスムーズかつ快適に行うことができるという作用を有する。
【００１６】
請求項５に記載の発明における携帯端末装置は、前記イヤホンマイク接続手段からのイヤホンマイクの抜取りによりオンフック検出信号を発生するオンフック検出信号発生手段を備え、前記回線制御手段はオンフック検出信号に基づいてオンフックを行うようにしたことにより、イヤホンマイクによる通話をスムーズかつ快適に行うことができるという作用を有する。
【００１７】
請求項６に記載の発明における携帯端末装置は、前記イヤホンマイクコード巻取り部へのコードの巻取りによりオンフック検出信号を発生するオンフック検出信号発生手段を備え、前記回線制御手段はオンフック検出信号に基づいてオンフックを行うようにしたことにより、イヤホンマイクによる通話をスムーズかつ快適に行うことができるという作用を有する。
【００１８】
請求項７に記載の発明における携帯端末装置は、前記オフフック検出信号発生手段はボタンやスイッチの操作により発生したオフフック検出信号を出力し、前記回線制御手段はオフフック検出信号に基づいてオフフックを行うようにしたことにより、イヤホンマイクによる通話をスムーズかつ快適に行うことができるという作用を有する。
【００１９】
請求項８に記載の発明における携帯端末装置は、前記オンフック検出信号発生手段はボタンやスイッチの操作により発生したオンフック検出信号を出力し、前記回線制御手段はオンフック検出信号に基づいてオンフックを行うようにしたことにより、イヤホンマイクによる通話をスムーズかつ快適に行うことができるという作用を有する。
【００２０】
請求項９に記載の発明における携帯端末装置は、前記オフフック検出信号発生手段はボタンやスイッチの操作により発生したオフフック検出信号を出力し、前記オンフック検出信号発生手段はボタンやスイッチの操作により発生したオンフック検出信号を出力し、前記回線制御手段はオフフック検出信号に基づいてオフフックを行うようにし、オンフック検出信号に基づいてオンフックを行うようにしたことにより、イヤホンマイクによる通話をスムーズかつ快適に行うことができるという作用を有する。
【００２１】
【００２２】
【００２３】
【００２４】
以下、添付図面、図１及び図２に基づき、本発明の実施の形態につき詳細に説明する。  （実施の形態１）
まず、図１を参照して、本発明の実施の形態１における携帯端末装置について説明する。図１は本発明の実施の形態１における携帯端末装置の構成を示すブロック図である。図１において、１はマイク、２はスピーカ、３はイヤホンマイク、４は送話部、５は受話部、７はイヤホンマイク用オフフック検出信号発生装置、８はイヤホンマイク用オンフック検出信号発生装置、９は制御部、１０はオフフック・オンフック検出信号選択装置、１１はオフフック検出信号発生装置、１２はオンフック検出信号発生装置、１３はキー操作部、１４は回線制御部、１５は電話回線、１６は電源、１７は表示部、２１はイヤホンマイク接続部、２２は携帯端末装置である。
【００２５】
次に、図１を参照して、本発明の実施の形態１における携帯端末装置の構成を詳細に説明する。携帯端末装置２２において、イヤホンマイク３は、例えば、ジャックコネクタ（他の如何なるコネクタでもよい）またはその他の機械的、電気的コネクタ等からなるイヤホンマイク接続部６に挿入されて送話部４及び受話部５に接続される。送話部４は、マイク１からの音声とイヤホンマイク３からの音声を切替え、受話部５は、電話回線１５からの音声をスピーカ２かまたはイヤホンマイク３へ切替えて出力する。イヤホンマイク用オフフック検出信号発生装置７は、イヤホンマイクが接続された場合に、オフフック検出信号を発生する装置であり、イヤホンマイク用オンフック検出信号発生装置８は、イヤホンマイクが外された場合に、オンフック検出信号を発生する装置である。
【００２６】
制御部９は各部の制御および各入力信号の処理を行う。オフフック・オンフック検出信号選択装置１０は、イヤホンマイク用オフフック検出信号発生装置７、イヤホンマイク用オンフック検出信号発生装置８、オフフック検出信号発生装置１１及びオンフック検出信号発生装置１２からの信号を選択し、選択した信号を回線制御部１４へ出力する。
【００２７】
オフフック検出信号発生装置１１及びオンフック検出信号発生装置１２は、ボタンやスイッチなどのキー操作部１３の操作により発生したオフフック検出信号またはオフフック検出信号をオフフック・オンフック検出信号選択装置１０へ出力する。回線制御部１４はオフフック・オンフック検出信号選択装置１０からの信号に基づき回線のオフフックまたはオンフックを行う。電源１６は携帯端末装置１８を駆動させるための電源供給装置であり、表示部１７は各種表示を行う装置である。
【００２８】
次に、図１を参照して、本発明の実施の形態１における携帯端末装置の動作を説明する。携帯端末装置１の携帯者が外部装置からの着信を受けると、携帯者はイヤホンマイク３をイヤホンマイク接続部６に接続する。イヤホンマイク３の接続により、イヤホンマイク用オフフック検出信号発生装置７がオフフック検出信号を送出すると、オフフック検出信号はオフフック・オンフック検出信号選択装置１０によりオフフック検出信号として選択され回線制御部１４へ出力されて、回線制御部１４によりオフフックが行われる。それにより、イヤホンマイク３を通して外部装置との通話が可能になる。また、こちらから発信する場合にも、上記と同様に動作することによりオフフックを行うことができる。
【００２９】
通話を終了する場合には、イヤホンマイク３をイヤホンマイク接続部６から外すことにより、イヤホンマイク用オンフック検出信号発生装置８がオンフック検出信号をオフフック・オンフック検出信号選択装置１０へ送出し、さらに、回線制御部１４へ出力する。これにより、回線制御部１４はオンフックを行い外部装置との通話を終話する。
【００３０】
また、オフフックの他の方法として、キー操作部１３のボタンやスイッチの操作により通話をすることができる。まず、キー操作部１３のボタンやスイッチを操作して、オフフック検出信号をオフフック検出信号発生装置１１からオフフック・オンフック検出信号選択装置１０へ送出する。オフフック検出信号はオフフック・オンフック検出信号選択装置１０によりオフフック検出信号として選択され回線制御部１４へ出力されて、回線制御部１４によりオフフックが行われる。そこで、マイク１及びスピーカ２を使用して通話してもよいが、イヤホンマイク３を使用する場合は、イヤホンマイク接続部２１にイヤホンマイク３を接続すればよい。これにより、イヤホンマイク３を使用して外部装置との通話を可能になる。
【００３１】
また、上記の場合、オンフックの他の方法として、キー操作部１３から通話を終了することができ、その場合、キー操作部１３のボタンやスイッチを操作することにより、オンフック検出信号発生装置１２がオフフック・オンフック検出信号選択装置１０に対しオンフック検出信号を送出し、さらに回線制御部１４へ出力する。これにより、回線制御部１４はオンフックを行い外部装置との通話を終話する。
【００３２】
以上説明したように、本発明の実施の形態１によれば、携帯端末装置の携帯者は、イヤホンマイクの挿抜により自動的にオフフックおよびオンフックを行うことができるとともに、ボタンやスイッチなどの入力手段（キー操作部）を使ったオフフックおよびオンフックも可能であり、また、イヤホンマイクでオフフックやオンフックを行うか、キー操作部のボタンやスイッチなどによりオフフックやオンフックを行うかの選択が可能なため、イヤホンマイクによる通話をスムーズかつ快適に行うことができる
【００３３】
（実施の形態２）
次に、図２を参照して、本発明の実施の形態２における携帯端末装置の構成を説明する。図２は本発明の実施の形態２における携帯端末装置の構成を示すブロック図である。図２において、１９は実施の形態１におけるイヤホンマイク接続部２１の代わりに置換えたイヤホンマイクコード巻取り部、２３は携帯端末装置である。その他の構成部は、実施の形態１における（図１）ものと同様のため、説明は省略する。
【００３４】
イヤホンマイクコード巻取り部１９から、イヤホンマイク３のコードが引出された場合には、イヤホンマイク用オフフック検出信号発生装置７からオフフック検出信号を発生する。また、イヤホンマイク３のコードがイヤホンマイクコード巻取り部１９に巻き戻された場合には、イヤホンマイク用オンフック検出信号発生装置８からオンフック検出信号を発生する。尚、イヤホンマイク３のコードがイヤホンマイクコード巻取り部１９から引出されたかまたは巻き戻されたかの検出は、巻き回数を検出するとか、引出されたコードの長さを検出するとか、イヤホンマイク３の位置を検出する等、如何なる機械的、電気的、光学的方法を用いてもよい。
【００３５】
実施の形態２における携帯端末装置の動作において、実施の形態１におけるイヤホンマイクの挿入が、実施の形態２ではイヤホンマイクのコードの引出しに相当し、実施の形態１のイヤホンマイクの抜取りが、実施の形態２ではイヤホンマイクのコードの巻き戻しに相当する。その他の構成および動作については実施の形態１と同様のため、説明を省略する。
【００３６】
以上、説明したように、本発明の実施の形態によれば、携帯端末装置の携帯者は、イヤホンマイクのコードの引出しおよび巻き戻しによりオフフックおよびオンフックが可能であるとともに、ボタンやスイッチなどのキー操作部を使ったオフフックおよびオンフックも可能である。また、イヤホンマイクでオフフック・オンフックを行うか、ボタンやスイッチなどのキー操作部によりオフフック・オンフックを行うかの選択が可能なため、イヤホンマイクによる通話がスムーズかつ快適に行うことができる。尚、本実施の形態におけるオフフック・オンフックの操作は、ハードウェア制御のほか、ソフトウェア制御によっても行うことができる。
【００３７】
【発明の効果】
本発明は、上記のように構成し、特にイヤホンマイクの挿抜、またはコードの引出し巻取りを利用して自動的にオフフックおよびオンフックを行うことができるとともに、ボタンやスイッチなどのキー操作部（入力装置）を使ったオフフックおよびオンフックを可能にし、またイヤホンマイクでオフフック・オンフックを行うか、ボタンやスイッチなどのキー操作部によりオフフック・オンフックを行うかを選択できるようにしたことにより、イヤホンマイクによる通話をスムーズかつ快適に行うことができる携帯端末装置を提供することができる。
【図面の簡単な説明】
【図１】
本発明の実施の形態１における携帯端末装置の構成を示すブロック図、
【図２】
本発明の実施の形態２における携帯端末装置の構成を示すブロック図、
【図３】
イヤホンマイクを使用した従来の携帯端末装置の構成を示すブロック図。
【符号の説明】
１  マイク
２  スピーカ
３  イヤホンマイク
４  送話部
５  受話部
６、２１  イヤホンマイク接続部
７  イヤホンマイク用オフフック検出信号発生装置
８  イヤホンマイク用オンフック検出信号発生装置
９  制御部
１０  オフフック・オンフック検出信号選択装置
１１  オフフック検出信号発生装置
１２  オンフック検出信号発生装置
１３  キー操作部
１４  回線制御部
１５  電話回線
１６  電源
１７  表示部
１８、２２、２３  携帯端末装置
１９  イヤホンマイクコード巻取り部